(57)【要約】      （修正有）【課題】回り止め部材をクロスが貼り付けられた石膏ボードに打ち込む際、事前にクロスに切り込みを入れる必要を無くし、石膏ボードを壊してしまう可能性を著しく低減させると共に、アンカー金具、樹脂受網、接着系アンカー樹脂が三位一体となって、アンカー金具に加わる荷重を分散させて石膏ボードの穿設孔に集中することを回避し、アンカー強度を高めて耐震性能を向上する。【解決手段】アンカー金具４を、その外周域に凹凸部４１ａと内周域に雌ネジ部４１ｂを有するアンカー本体４１と、アンカー本体４１を樹脂受網５内に挿入する際、石膏ボード３に打ち込まれてアンカー本体４１を回り止めする回り止め部材４２とで構成し、打ち込み方向先端部に先鋭状に刃先加工された刃先部４２ａを有する回り止め部材４２を、アンカー本体４１の基端部が石膏ボード３の壁表面から突出する凸状部４１ｃが形成される位置に設ける。【選択図】図２
2011021731.tif 000002
【特許請求の範囲】
【請求項１】
石膏ボードの穿設孔に挿入される樹脂受網と、該樹脂受網の網筒内に注入されて網目から石膏ボードの背面側周辺に流出する接着系アンカー樹脂と、該接着系アンカー樹脂が注入された樹脂受網内に挿入されるアンカー金具とからなる石膏ボード用アンカー構造であって、
前記アンカー金具は、その外周域に凹凸部と内周域に雌ネジ部を有するアンカー本体と、該アンカー本体を前記樹脂受網内に挿入する際、石膏ボードに打ち込まれてアンカー本体を回り止めする回り止め部材とを一体的に備えて構成され、
該回り止め部材は、打ち込み方向先端部に先鋭状に刃先加工された刃先部を有し、アンカー本体の基端部を石膏ボード表面から突出する凸状部が形成される位置に設けられていることを特徴とする石膏ボード用アンカー構造。
【請求項２】
前記回り止め部材は、半円形状又は二等辺三角形状の金属プレートからなり、その頂部が打ち込み方向を向くように、前記刃先部を前記凹凸部の山部よりも面落ちさせてアンカー本体に溶着されることを特徴とする請求項１記載の石膏ボード用アンカー構造。
【請求項３】
前記樹脂受網には、前記回り止め部材との接触を避けるための切欠き部と、石膏ボードの穿設孔に挿入した際に石膏ボードの表面側に面当てされるフランジ部が形成されていることを特徴とする請求項１又は２記載の石膏ボード用アンカー構造。
【請求項４】
前記樹脂受網内に挿入されたアンカー本体に、取り付け用ネジを雌ネジ部に螺入することで石膏ボードの表面側に取り付けられる支持受け板であって、該支持受け板は、取付けネジの取付け孔と、その裏面側となる取付け孔外周に形成された凹溝とを有し、前記アンカー金具に取り付けした際に、前記凹溝の対向面でアンカー本体の凸状部を面当て支持し、凹溝の外周面で前記回り止め部材の両端部を当接支持することを特徴とする請求項１乃至３の何れかに記載の石膏ボード用アンカー構造。
【請求項５】
前記支持受け板の凹溝は、前記樹脂受網のフランジ部と樹脂受網内に注入されて石膏ボード表面側にはみ出した接着系アンカー樹脂の収容スペースに構成されていることを特徴とする請求項３に記載の石膏ボード用アンカー構造。
【請求項６】
前記支持受け板には、前記注入された接着系アンカー樹脂の硬化前に、支持受け板を前記アンカー金具に取付け可能とすべく、アンカープラグ用の取付け孔が設けられていることを特徴とする請求項４または５に記載の石膏ボード用アンカー構造。
【請求項７】
前記石膏ボード用アンカー構造を室内壁の上下左右の任意個所に適用し、前記支持受け板を用いて薄型テレビを壁掛け装着するに、
前記上側２個所に配設される支持受け板を、掛止用の固定バーの両側部を支持する掛止ブラケットとし、前記下側２個所に配設される支持受け板を座板として構成して、それぞれ前記アンカー金具に取り付けし、
前記薄型テレビの背面には、上端側に前記固定バーへ掛止される一対の吊持部と、テレビ背面に取付けされるテレビ取付け部と、下端側に前記座板にビス止めされる一対の補助支持部とを備えた吊持ブラケットを取着して、
薄型テレビを、前記吊持部を介して固定バーへ壁掛けし、前記補助支持部を座板にビス止めして装着したことを特徴とする請求項４乃至６の何れかに記載の石膏ボード用アンカー構造。
【請求項８】
石膏ボードの穿設孔に挿入される樹脂受網と、該樹脂受網の網筒内に注入されて網目から石膏ボードの背面側周辺に流出する接着系アンカー樹脂と、該接着系アンカー樹脂が注入された樹脂受網内に挿入されるアンカー金具とを用いて施工される石膏ボード用アンカーの施工方法であって、
前記アンカー金具は、その外周域に凹凸部と内周域に雌ネジ部を有するアンカー本体と、石膏ボードに打ち込まれてアンカー本体を回り止めし、打ち込み方向先端部に先鋭状に刃先加工された刃先部を有する回り止め部材とを一体的に備えて構成され、該アンカー金具を前記樹脂受網内に挿入するにあたり、
アンカー金具を、石膏ボードの穿設孔と略同径の筒状に成形されて、前記回り止め部材を回転規制した状態で筒孔中心に位置決めセット可能な位置決め治具に挿入し、
該位置決め治具を穿設孔に挿入して、セットされたアンカー金具と共に前記回り止め部材を打ち込みし、アンカー金具の穿設孔へのセンター合わせをした後、
該位置決め治具と共にアンカー金具を穿設孔から抜き出して、予め穿設孔に回り止め部材の打入跡を形成しておき、
この穿設孔に対して、前記樹脂受網を挿入した状態で接着系アンカー樹脂を注入し、アンカー金具を、その回り止め部材を前記打入跡に位置合わせして前記樹脂受網内に挿入することを特徴とする石膏ボード用アンカーの施工方法。
【請求項９】
前記位置決め治具には、その基端部に、前記刃先部との接触を避け回り止め部材を案内して、アンカー本体を筒孔中心に位置決めするための案内部と、前記穿設孔の周縁部に当接する把持可能なフランジ部が形成されており、該フランジ部を介して穿設孔への挿入と抜き出しを行うことを特徴とする請求項８に記載の石膏ボード用アンカーの施工方法。
【請求項１０】
前記接着系アンカー樹脂が注入された樹脂受網を、少しく引き出した後、再び元の位置に押し込むことを特徴とする請求項８または９に記載の石膏ボード用アンカーの施工方法。
【発明の詳細な説明】
【技術分野】
【０００１】
本発明は、石膏ボードに埋設される石膏ボード用アンカー構造、およびその施工方法に関する。
【背景技術】
【０００２】
近年、建築物の内壁は、壁下地として所定間隔（約４５０〜５００ｍｍ間隔）に立設した木製の間柱に下地材として石膏ボードを貼り付け、その表面にクロスなどの仕上げ材を貼り付けた構造が多用されている。このような内壁にタオル掛け用フック、カーテンレール、薄型テレビの掛止部材などを取り付ける場合には、間柱に取付けすることができないことが多く、直接石膏ボード壁に石膏ボード壁用アンカーを埋設し、該石膏ボード用アンカーに対して取り付け用のネジをねじ込む必要がある。その理由は、石膏ボード壁が強度的に脆いため、取り付け用のネジを直接ねじ込んでも、十分な固定強度を得ることができないからである。
【０００３】
石膏ボード用アンカーとしては、アンカー本体を石膏ボード壁の取付け孔内周に対して、樹脂接着剤を含浸させて硬化させた後に、直にねじ込むタイプ（例えば、特許文献１参照）や、石膏ボード天井の穿設孔に直接接着系アンカー樹脂を注入すると共に、該接着系アンカー樹脂中にアンカー本体を挿入し、接着系アンカー樹脂の硬化によって必要な固定強度を得るタイプが知られている。後者は、接着系アンカー樹脂を併用するため、前者に比べて強度的に有利であるが、内壁に使用すると注入樹脂が壁裏側に落ちてしまい穿設孔周辺に付着保持することが難しく、内壁用に採用することが困難であり、また、取付けネジのねじ込みに際し、共回りの惧れがあるので、回り止め手段が必要である。
【０００４】
一方、上記の回り止め手段としては、ＡＬＣの外壁に長尺なボルト部分を露出させて埋設される埋込ボルトの埋設部分に取り付けられて、埋込ボルトを回り止めするための回り止め部材が知られている。このものは、ＡＬＣの外壁専用に平板状の金属プレートで形成されており、その工法もＡＬＣに埋設孔を開けて接着系アンカー樹脂を注入し、埋込ボルトの埋設部分を挿入し、回り止め部材部分を打ち込みして、埋設部分とＡＬＣの埋設孔内周全域とを直接凝固結合させても、回り止め機能と抜け止め機能を同時に満たすことができる。
しかしながら、石膏ボードは、板厚が９〜１２ｍｍ程度と薄く、ＡＬＣに比べ非常に脆く、特に、穿設孔内周はネジ山の僅かな力が加わるだけで粉状に崩れてしまうため、これをそのまま内壁用の石膏ボードに採用しても、打ち込む際に石膏ボードを壊してしまう惧れがあり、またアンカー強度や抜け止め機能も充分に得ることができないばかりか、クロスが貼り付けられた石膏ボードに回り止め部材を打ち込む際には、事前にクロスに切り込みを入れておく必要があるので、埋設時の作業性に劣るという問題がある。しかも、薄型テレビなどの重量物を掛止部材を介して取り付けした場合に、地震などにより穿設孔内周部分の石膏ボード自体が壊れてテレビを落下損傷させてしまう恐れがあり、この様な耐震強度の問題から、壁下地の補修を行なって取付けするなどの対策が採らざるを得ないという実情がある。
【特許文献１】特開２００４−３０８８４３号公報
【発明の開示】
【発明が解決しようとする課題】
【０００５】
本発明は、上記の如き問題点を一掃すべく創案されたものであって、フック等を取付けする雌ねじが形成されたアンカー金具を接着系アンカー樹脂を用いて石膏ボードに取り付けるようにしたものでありながら、従来屋外のＡＬＣ壁専用の埋設ボルトに備えられていた回り止め部材を応用して、室内の石膏ボード用アンカー構造に利用することが可能となり、樹脂受網内にアンカー本体を挿入して、回り止め部材を石膏ボードに打ち込む際、石膏ボードを壊してしまう可能性を著しく低減させることができると共に、クロスが貼り付けられた石膏ボードに回り止め部材を打ち込む際にも、事前にクロスに切り込みを入れる必要もなくなり、確実に回り止め機能を保持することができ、埋設時の作業性にも優れ、しかも、アンカー金具、樹脂受網、接着系アンカー樹脂が三位一体となって、アンカー金具に加わる荷重を分散させて石膏ボードの穿設孔に集中することを回避し、アンカー強度を高めて耐震性能を向上することのできる石膏ボード用アンカー構造、およびその施工方法の提供を目的とする。
【課題を解決するための手段】
【０００６】
上記課題を解決するために本発明の石膏ボード用アンカー構造は、石膏ボードの穿設孔に挿入される樹脂受網と、該樹脂受網の網筒内に注入されて網目から石膏ボードの背面側周辺に流出する接着系アンカー樹脂と、該接着系アンカー樹脂が注入された樹脂受網内に挿入されるアンカー金具とからなる石膏ボード用アンカー構造であって、前記アンカー金具は、その外周域に凹凸部と内周域に雌ネジ部を有するアンカー本体と、該アンカー本体を前記樹脂受網内に挿入する際、石膏ボードに打ち込まれてアンカー本体を回り止めする回り止め部材とを一体的に備えて構成され、該回り止め部材は、打ち込み方向先端部に先鋭状に刃先加工された刃先部を有し、アンカー本体の基端部を石膏ボード表面から突出する凸状部が形成される位置に設けられていることを特徴とするものである。
また、上記課題を解決するために本発明の石膏ボード用アンカーの施工方法は、石膏ボードの穿設孔に挿入される樹脂受網と、該樹脂受網の網筒内に注入されて網目から石膏ボードの背面側周辺に流出する接着系アンカー樹脂と、該接着系アンカー樹脂が注入された樹脂受網内に挿入されるアンカー金具とを用いて施工される石膏ボード用アンカーの施工方法であって、前記アンカー金具は、その外周域に凹凸部と内周域に雌ネジ部を有するアンカー本体と、石膏ボードに打ち込まれてアンカー本体を回り止めし、打ち込み方向先端部に先鋭状に刃先加工された刃先部を有する回り止め部材とを一体的に備えて構成され、該アンカー金具を前記樹脂受網内に挿入するにあたり、アンカー金具を、石膏ボードの穿設孔と略同径の筒状に成形されて、前記回り止め部材を回転規制した状態で筒孔中心に位置決めセット可能な位置決め治具に挿入し、該位置決め治具を穿設孔に挿入して、セットされたアンカー金具と共に前記回り止め部材を打ち込みし、アンカー金具の穿設孔へのセンター合わせをした後、該位置決め治具と共にアンカー金具を穿設孔から抜き出して、予め穿設孔に回り止め部材の打入跡を形成しておき、この穿設孔に対して、前記樹脂受網を挿入した状態で接着系アンカー樹脂を注入し、アンカー金具を、その回り止め部材を前記打入跡に位置合わせして前記樹脂受網内に挿入することを特徴とするものである。
【発明の効果】
【０００７】
本発明は、上記のように構成したことにより、フック等を取付けする雌ねじが形成されたアンカー金具を接着系アンカー樹脂を用いて石膏ボードに取り付けるようにしたものでありながら、従来屋外のＡＬＣ壁専用の埋設ボルトに備えられていた回り止め部材を応用して、室内壁の石膏ボード用のアンカー金具として利用することが可能となり、樹脂受網内にアンカー本体を挿入して、回り止め部材を石膏ボードに打ち込む際、石膏ボードを壊してしまう可能性を著しく低減させることができると共に、クロスが貼り付けられた石膏ボードに回り止め部材を打ち込む際にも、事前にクロスに切り込みを入れる必要もなくなり、確実に回り止め機能を保持することができ、埋設時の作業性にも優れるものとできる。しかも、埋設完了後に雌ネジ部に取り付けられたフックや掛止部材に重量物が吊持されても、その荷重はアンカー金具と樹脂受網、およびその全長域周縁に注入された接着系アンカー樹脂が石膏ボード背面の穿設孔周辺に行き渡り、これらが三位一体となって取付部分における負荷荷重を分散した状態で受け止めて、アンカー金具に加わる負荷が石膏ボードの穿設孔に直接的に加わることが回避され、従来のものに比し、石膏ボードに対するアンカー強度や抜け止め機能をより強固なものとすることができ、内壁用の石膏ボードであっても壁下地の補修を行なう必要がなくなり、耐震性が飛躍的に向上され、しっかりと取り付けすることができる。
【発明を実施するための最良の形態】
【０００８】
以下、本発明の実施の形態を好適な実施の形態として例示する石膏ボード用アンカー構造、およびその施工方法を図面に基づいて詳細に説明する。図１は埋設状態を示す石膏ボード用アンカー構造の説明図、図２（Ａ）はアンカー金具の正面図、図２（Ｂ）はアンカー金具の平面図、図２（Ｃ）はアンカー金具の側面図、図２（Ｄ）はアンカー本体の切断端面図、図３（Ａ）は樹脂受網の平面図、（Ｂ）は側面図、図４は支持受け板を掛止ブラケットとした実施例を示す構成図、図５は支持受け板を座板とした実施例を示す構成図である。
【０００９】
これらの図に示すように、本発明の実施形態に係る石膏ボード用アンカー構造１は、支持受け板２に薄型テレビの吊持ブラケット７やフックなどを取り付けるために、石膏ボード３に埋設されるものであって、アンカー金具４、樹脂受網５、接着系アンカー樹脂６などを備えて構成されている。
【００１０】
なお、石膏ボード３は、建築物における天井や内壁の下地材として用いられており、その表面には、クロス３１などの仕上げ材が貼り付けられている。以下に内壁に適用した場合を例示するが、天井に用いて良いことは勿論である。石膏ボード３の壁面には、タオル掛け用や、薄型テレビの壁掛け用吊持ブラケット７などを支持受け板２に取り付ける場合、石膏ボード３に樹脂受網５を介してアンカー金具４を埋設し、該アンカー金具４に支持受け板２装着用の取付けネジ２ａ（ボルト）がねじ込まれる。
【００１１】
アンカー金具４は、アンカー本体４１と回り止め部材４２とを備えて構成される。アンカー本体４１は、石膏ボード３の穿設孔３ａに挿入されるものであって、外周域に凹凸部４１ａを有し、内周域に雌ネジ部４１ｂを有する。外周の凹凸部４１ａは、接着系アンカー樹脂６との接着性を高めるためのもので、本実施形態では雄ネジ（ボルト）溝状に形成されるが、ローレット加工などであってもよい。また、内周の雌ネジ部４１ｂは、取付けネジ２ａをねじ込むためのネジ穴である。
【００１２】
回り止め部材４２は、アンカー本体４１に一体的に設けられ、アンカー金具４を石膏ボード３の穿設孔３ａに挿入する際、石膏ボード３に打ち込まれてアンカー金具４を回り止めするものである。そして、本発明に係るアンカー金具４の回り止め部材４２は、打ち込み方向先端部に先鋭状に刃先加工された刃先部４２ａを有する。回り止め部材４２の形状や材質に制限はないが、半円形状又は二等辺三角形状の金属プレートとすることが好ましい。この場合には、刃先部４２ａの頂部を打ち込み方向を向け、基端部側の凹凸部４１ａを削り取った平滑面に形成し、この平滑面に、刃先部４２ａが凹凸部４１ａのネジ山部よりも面落ちさせて、アンカー本体４１の基端部（頭部）を石膏ボード３の表面から突出する凸状部４１ｃを有する位置に溶着されている。この様に取着すると、刃先部４２ａと凹凸部４１ａのネジ山部との間に形成された溝部域にも接着系アンカー樹脂６が注入されて、アンカー強度の向上に寄与することができる。
【００１３】
樹脂受網５は、注入された接着系アンカー樹脂６を保持するための筒袋状の網部材であって、穿設孔３ａの孔径と略同じ外径（１２ｍｍ）に形成され、石膏ボード３の穿設孔３ａに挿入される。基端部には、フランジ部５ａが形成され、該フランジ部５ａが穿設孔３ａの周縁部の石膏ボード３の壁表面に面当（当接）されることにより、それ以上の挿入が規制される。そして、石膏ボード３の穿設孔３ａに樹脂受網５を挿入したら、樹脂受網５の筒内に接着系アンカー樹脂６を注入すると共に、該接着系アンカー樹脂６中にアンカー金具４を挿入し、さらに、回り止め部材４２を石膏ボード３に打ち込んだ後、接着系アンカー樹脂６を硬化させるが、本実施形態の樹脂受網５には、回り止め部材４２の刃先部４２ａとの接触を避けるための切欠き部５ｂが形成されており、回り止め部材４２を叩き込んだ際に変形を回避して、アンカー金具４を含め注入された接着系アンカー樹脂６をしっかりと保持することができる。また、接着系アンカー樹脂としてエポキシアクリレート樹脂主剤に過酸化ベンゾイル硬化剤を混合するタイプの混合型接着剤を用いている。
【００１４】
２は壁面に面当てされてアンカー金具４に取り付けられる支持受け板であって、該支持受け板２には、取付けネジ２ａをアンカー本体４１の雌ネジ部４１ｂへ螺入する為の取付け孔２０ａと、接着系アンカー樹脂６の硬化前に取付け作業を完了できるようにするためのアンカープラグＰ用の取付け孔２０ｂが穿設されている。支持受け板２の裏面側には、取付け孔２０ａの外周面部に凹溝２０ｃが形成されており、この凹溝２０ｃは、樹脂受網５のフランジ部５ａと樹脂受網５内に注入されて壁表面側にはみ出した接着系アンカー樹脂６を収容するスペースであり、石膏ボード３の壁表面側に回り止め部材４２から突出するアンカー本体４１の凸状部４１ｃがその対向面に面当てされて支持する受け面となる。
そして、アンカー金具４に取付けネジ２ａを介して取り付けされた際に、凹溝２０ｃの対向面でアンカー本体４１の凸状部４１ｃを面当て支持固定することにより、凹溝２０ｃの外周面で回り止め部材４２の両端部を面当て支持され、所謂３点支持により、支持受け板２をアンカー金具５に対して石膏ボード３を挟み込むことなく、両者を直接かつ一体的に強固に組み付けすることができ、壁面に対する直角度を維持した状態とすることができるようになっている。
【００１５】
図４に示す支持受け板２は、薄型テレビ９を壁掛け取り付けする場合に用いられる掛止ブラケット２１として形成したものである。この掛止ブラケット２１は、支持受け板２を楕円形状に形成し、その表面側に前方に突出する形成された、後述する掛止用の固定バー２１１の両側部を挿入支持する受け孔２１ｂが開孔された支持片２１ａを備えて構成される。支持片２１ａの上下部分に取付けネジ２ａをアンカー本体４１の雌ネジ部４１ｂへ螺入する為の位置調整可能とする楕円形の取付け孔２０ａが設けられ、支持片２１ａの左右部分にアンカープラグＰ用の取付け孔２０ｂが穿設されている。
【００１６】
図５に示す支持受け板２は、薄型テレビ９を壁掛け取り付けする場合や、フックなどを取付けする場合など、汎用的に用いられる座板２２として形成したものである。この座板２２は、支持受け板２を円板状に形成し、その中央に取付けネジ２ａをアンカー本体４１の雌ネジ部４１ｂへ螺入する為の取付け孔２０ａが設けられ、取付け孔２０ａの両側部分にアンカープラグＰ用の取付け孔２０ｂが穿設されている。
【００１７】
次に、石膏ボード用アンカー構造１の埋設手順の施工方法について、図６、図７を参照して説明する。図６はアンカー金具の位置決め治具を示す（Ａ）は正面図、（Ｂ）は側面図、（Ｃ）は断面図、図７は位置決め治具の使用説明図、図８は石膏ボード用アンカー構造の埋設手順を示す説明図である。これらの図に示すように、石膏ボード３に石膏ボード用アンカー構造１を施工する場合は、まず、石膏ボード３に穿設孔３ａを開ける。次に、位置決め治具８をアンカー金具４がセットされた状態で穿設孔３ａに挿入する。
この位置決め治具８は、アンカー金具４を穿設孔３ａの中心に正確にセットするためのものであり、全体が穿設孔３ａの孔径と略同じ外径（１１．８ｍｍ）の筒状に形成され、アンカー金具４の挿入側に、穿設孔３ａの外周面に当接するようＬ字状に形成された位置決め治具８を穿設孔３ａに出し入れ操作する把持可能なフランジ部８１と、回り止め部材４２を当接案内する案内部８２とを備える。アンカー金具４の位置決め治具８に対するセットは、予めセットした状態から穿設孔３ａに挿入するか、位置決め治具８を穿設孔３ａに挿入してからセットするかの何れであっても良い。何れの場合も図７に仮装線で示す状態、即ち、回り止め部材４２を打入する前の状態にセットし、凸状部４１ｃを軽く叩きながら回り止め部材４２を打ち込むと、刃先部４２ａは、自らがクロス３１を切断して石膏ボード３に鋭利に刺さり、回り止め部材４２が案内部８２に案内されながら、穿設孔３ａにセンター位置決めされた状態で、石膏ボード３に対して精度良く直角にアンカー金具４の正確な位置決めが行える。しかる後、アンカー金具４と共に位置決め治具８を抜き出して、穿設孔３ａに回り止め部材４２の打入跡３ｂを予め刻設させておく（図８（Ａ））。
【００１８】
次いで、打入跡３ｂが形成された穿設孔３ａに樹脂受網５を挿入し（図８（Ｂ））、樹脂受網５内に接着系アンカー樹脂６を注入する（図８（Ｃ））。接着系アンカー樹脂６は、樹脂受網５の編み目周縁から石膏ボード３の裏面に充分にはみ出すまで注入したら、樹脂受網５を少しく（約１０ｍｍ程度）引き出して再度接着系アンカー樹脂６を注入する（図８（Ｄ））。この様にすると、石膏ボード３の裏面の穿設孔３ａ外周面に接着系アンカー樹脂６を引き寄せてしっかりと付着させることができる。
その後、接着系アンカー樹脂６が注入された樹脂受網５中にアンカー金具４を挿入すると共に、回り止め部材４２を打入跡３ｂに位置決めして押し込んで（図８（Ｅ））、アンカープラグＰを用いない場合には、接着系アンカー樹脂６の硬化を待ち、凝固した後に支持受け板２を取付けネジ２ａ（ボルト）止めして取り付けを行う。
なお、回り止め部材４２の打入跡３ｂの形成位置は、上下・左右・斜め方向など任意である。
【００１９】
さて、上記のように構成した石膏ボード用アンカー構造１に支持受け板２を用いて、薄型テレビ９を壁掛け取り付けた場合について、図９〜図１１を参照して説明する。図９は薄型テレビの壁掛け用吊持ブラケットの斜視図、図１０は石膏ボードへの配設状態を示す正面図、図１１は石膏ボードへの配設状態を示す縦断面図である。これらの図に示すように、薄型テレビ９を壁掛け装着するにあたっては、掛止ブラケット２１、固定バー２１１、吊持ブラケット７、座板２２の各部材（壁掛け金具）を用いる。
吊持ブラケット７は、掛止ブラケット２１に支持された固定バー２１１に、その上端側が引掛け係合可能に逆Ｕ字状（凹状）に折曲形成された吊持部７１と、該吊持部７１から下方に延出形成された薄型テレビ９の背面に取着されるテレビ取付け部７２と、吊持部７１の下部側となるテレビ取付け部７２から壁面側にＬ字状に折曲されて下方に延出形成された、壁面との離間を保持し座板２２に受け止め係止される補助支持部７３とで板状部材により折曲形成された部材を、それぞれ左右に組として一体的に備えて構成される。なお、吊持ブラケット７は、軽量化を図るため板状部材を採用したが、これをパイプ材等を折曲形成して採用しても良い。
【００２０】
薄型テレビ９を壁掛け取り付けするには、まず、石膏ボード３の壁面の上下左右の所定の高さ位置に、掛止ブラケット２１と座板２２をそれぞれ所定のピッチで２個所づつ取り付けするための位置決めを行い、間柱に取り付けする場合は、木ねじでネジ止めし、間柱が存在しない場合には石膏ボード用アンカー構造１を適用する。このとき、接着系アンカー樹脂６の硬化前に掛止ブラケット２１を取り付けたい場合には、取付けネジ２ａでアンカー本体４１に取り付けした後、取付け孔２０ｂ部分にアンカープラグＰを適用してネジ止めし、掛止ブラケット２１のそれぞれの受け孔２１ｂに、固定バー２１１の両側を挿入して架設する。なお固定バー２１１の両端部はキャップがねじ込まれて着脱自在になっている。次に、吊持ブラケット７の吊持部７１を固定バー２１１に引っ掛けて、左右方向にスライド移動させて薄型テレビ９の取付位置を位置決め調整した後、補助支持部７３に設けられた切欠き孔７３ａの個所に必要において石膏ボード用アンカー構造１を適用する。その後、吊持ブラケット７をテレビ取付け部７２に穿設された取付け孔７２ａを介して薄型テレビ９の背面にビス止めし、吊持部７１を固定バー２１１に引っ掛け、壁面と補助支持部７３間に座板２２を介在させて切欠き孔７３ａからワッシャを用いて取付けネジ２ａで固定する。なお、吊持ブラケット７は、補助支持部７３の取付けネジ２ａを緩めるだけで、薄型テレビ９と共に簡単に取り外せるため、ホテルなどの施設に設置した場合に防犯の面から、また、耐震性の面からも、必要において吊持部７１を固定バー２１１にタッピングビスなどによりビス７１ｂ止めするなど両者を固定しておけば安心である。
【００２１】
次に、上記のような薄型テレビ９の壁掛け金具（壁掛け手段）を用いて、石膏ボード用アンカー構造１を適用した場合について行った耐震性能試験例について説明する。
本耐震性能試験は、財団法人  建材試験センターにより、試験場所をＵＲ都市再生機構  都市住宅技術研究所とし、試験条件としては、１９９５年兵庫県南部地震の地震波、震度６強、加振回数６回について行われたものである。
本耐震性能試験に用いられた各部材の仕様は、以下の通りである。
・石膏ボード；９１０×１８２０ｍｍ、厚さ９．５ｍｍ、１２．５ｍｍ、９．５＋１２．５ｍｍ（２枚張り）の３種類を、間柱４５ｍｍ角（左右、中央に配設）にビス止め
・薄型テレビ；４２型（１０２０×６７０ｍｍ、厚さ９０ｍｍ、重量２４Ｋｇ）、５２型（１２５０×８２０ｍｍ、厚さ９０ｍｍ、重量２８．５Ｋｇ）の２種類
・接着系アンカー樹脂；旭化成ケミカルズ製のエポキシアクリレート樹脂主剤に過酸化ベンゾイル硬化剤を混合するタイプの混合型接着剤
・アンカー金具；アンカー本体（外ネジｗ３／８、外径９．２ｍｍ、長さ３０ｍｍ、内ネジＭ６、有効深さ１３ｍｍ）、回り止め部材（円弧状半月板、長さ３０ｍｍ、深さ８ｍｍ）、何れも鉄製
・樹脂受網；ＳＵＳ３０４ワイヤーメッシュ、１２Φ、長さ３４ｍｍと石膏ボード２枚張り用４０ｍｍの２種類
・掛止ブラケット間のアンカーピッチ；フロアーから１７００ｍｍの高さで、５２型テレビは８００ｍｍと４６０ｍｍの２種類、４２型テレビは７００ｍｍ
・掛止ブラケットのアンカーピッチ；上下５８ｍｍ
・座板間のアンカーピッチ；４８０ｍｍ
図１０、図１１の壁掛け構成は、石膏ボード厚さ９．５ｍｍ（１２．５ｍｍ）、掛止ブラケット間のアンカーピッチ８００ｍｍをもって５２型テレビを壁掛けした状態を示したものである。
【００２２】
而して、その試験結果は、上記何れの条件組み合わせにおいても、
・薄型テレビ９の脱落なし
・壁掛け金具のズレ、損傷なし
・石膏ボードの損傷なし
・アンカー金具の抜け出しなし
との評価結果を得ることができ、特に、試験体中最も条件が厳しいと思われる、厚さ９．５ｍｍの石膏ボード３に対して、掛止ブラケット２１、２１間のアンカーピッチ４６０ｍｍをもって５２型テレビを壁掛けした状態においても、耐震性能試験をクリアできたことは、本発明における石膏ボード用アンカー構造１が、間柱に直接取り付けした如くのアンカー強度や抜け止め機能を有することが確認されると共に、従来の石膏ボード用アンカー構造の耐震性能に比し、格段に優れていることが確認された。
【００２３】
叙述の如く構成された本発明の実施の形態において、いま、間柱等の壁下地のない内壁用の石膏ボード３に対して、フック等の壁掛け部材を用いて薄型テレビ９などの重量物を取り付けするのであるが、本発明における石膏ボード用アンカー構造１は、石膏ボード３の穿設孔３ａに挿入される樹脂受網５と、該樹脂受網５の網筒内に注入されて網目から石膏ボード３の背面側周辺に流出する接着系アンカー樹脂６と、該接着系アンカー樹脂６が注入された樹脂受網５内に挿入されるアンカー金具４とからなり、アンカー金具４は、その外周域に凹凸部４１ａと内周域に雌ネジ部４１ｂを有するアンカー本体４１と、該アンカー本体４１を樹脂受網５内に挿入する際、石膏ボード３に打ち込まれてアンカー本体４１を回り止めする回り止め部材４２とを一体的に備えて構成され、該回り止め部材４２は、打ち込み方向先端部に先鋭状に刃先加工された刃先部４２ａを有し、アンカー本体４１の基端部を石膏ボード３の壁表面から突出する凸状部４１ｃが形成される位置に設けられている構成となっている。
【００２４】
このため、フック等の壁掛け部材を取付けする雌ねじが形成されたアンカー金具を接着系アンカー樹脂を用いて石膏ボード３に取り付けるようにしたものでありながら、従来屋外のＡＬＣ壁専用の埋設ボルトに備えられていた回り止め部材を応用して、室内壁の石膏ボード用のアンカー金具４として利用することが可能となり、樹脂受網５内にアンカー本体４１を挿入して、回り止め部材４２を石膏ボード３に打ち込む際にも、石膏ボード３を壊してしまう可能性を著しく低減させることができると共に、クロス３１が貼り付けられた石膏ボード３に回り止め部材４２を打ち込む際にも、自らがクロス３１を切断して石膏ボード３に鋭利に刺さるので、事前にクロス３１に切り込みを入れる必要もなくなり、確実に回り止め機能を保持することができ、埋設時の作業性にも優れるものとできる。しかも、埋設完了後に雌ネジ部４１ｂに取り付けられたフックや掛止部材に薄型テレビ９などの重量物が吊持されても、その荷重はアンカー金具４と樹脂受網５、およびその全長域周縁に注入された接着系アンカー樹脂６が石膏ボード３背面の穿設孔３ａ周辺に行き渡り、これらが三位一体となって取付部分における負荷荷重を分散した状態で受け止めて、アンカー金具４に加わる負荷が石膏ボード３の穿設孔３ａに直接的な集中荷重が加わることが回避され、従来のものに比し、石膏ボード３に対するアンカー強度や抜け止め機能をより強固なものとすることができ、内壁用の石膏ボード３であっても壁下地の補修を行なう必要がなくなり、耐震性が飛躍的に向上され、しっかりと取り付けすることができる。
【００２５】
更には、石膏ボード３内に打ち込まれた回り止め部材４２の基端辺が壁面と面一になった状態で、アンカー本体４１の凸状部４１ｃが壁表面から突出する状態でアンカー金具４を埋設することができるので、雌ネジ部４１ｂに対して取付けネジ２ａによって取り付けされる支持受け板２の対向裏面に、凹溝２０ｃを形成するだけの簡単な構成をもって、凸状部４１ｃと回り止め部材４２の両端部とによる所謂３点支持により、支持受け板２をアンカー金具４に対して石膏ボード３を挟み込むことなく、両者を壁面に対する直角度を維持した状態で、直接かつ一体的に強固に組み付けすることができる。
【００２６】
つまり、樹脂受網５内に挿入されたアンカー本体４１に、取り付けネジ２ａを雌ネジ部４１ｂに螺入することで石膏ボード３の表面側に取り付けられる支持受け板２であって、該支持受け板２は、取付けネジ２ａの取付け孔２０ａと、その裏面側となる取付け孔２０ａ外周に形成された凹溝２０ｃとを有し、アンカー金具４に取り付けした際に、凹溝２０ｃの対向面でアンカー本体４１の凸状部４１ｃを面当て支持し、凹溝２０ｃの外周面で回り止め部材４２の両端部を当接支持する構成となっているため、凹溝２０ｃが、樹脂受網５のフランジ部５ａと樹脂受網５内に注入されて壁表面側にはみ出した接着系アンカー樹脂６を収容するスペースとして利用することができるばかりか、アンカー金具４に取付けネジ２ａを介して取り付けされた際に、面当てされる凸状部４１ｃと回り止め部材４２の両端部とによる所謂３点支持構造を実現することができ、支持受け板２をアンカー金具４に対して石膏ボード３を挟み込むことなく、両者を壁面に対する直角度を維持した状態で、直接かつ一体的に強固に組み付けすることができる。しかも、接着系アンカー樹脂６の硬化前であれば、アンカー金具４が直角度を有することなく埋設されていても、螺入により支持受け板２に引き寄せられてこれを矯正することができるという利点がある。
【００２７】
また、支持受け板２には、注入された接着系アンカー樹脂６の硬化前に、支持受け板２をアンカー金具４に取付け可能とすべく、アンカープラグＰ用の取付け孔２０ａが設けられているので、アンカープラグＰにより支持受け板２を取り付けしておけば、振動や不用意な衝撃が加わらない限り石膏ボード３を壊してしまう虞がないので、これを併用することにより、接着系アンカー樹脂６の硬化前であっても埋設作業と、支持受け板２を用いて薄型テレビ９などの重量物を取り付けする作業を完了することができ、作業時間を著しく短縮することができる。
なお、接着系アンカー樹脂６の硬化時間の目安は、温度１０゜Ｃで約９０分、温度２０゜Ｃで約３０分、温度３０゜Ｃで約２５分である。
【００２８】
また、回り止め部材４２は、半円形状又は二等辺三角形状の金属プレートからなり、その頂部が打ち込み方向を向くように、刃先部４２ａを凹凸部４１ａの山部よりも面落ちさせてアンカー本体４１に溶着されているので、石膏ボード３に対する打ち込み抵抗をより低減することができると共に、雌ネジ部４１ｂを塞いでしまうなど邪魔になることがない。しかも、アンカー本体４１の基端部側の凹凸部４１ａを削り取った平滑面に回り止め部材４２が溶着されているため、刃先部４２ａと凹凸部４１ａのネジ山部との間に形成された溝部域にも接着系アンカー樹脂６が注入されて、アンカー強度の向上に寄与することができる。
【００２９】
また、樹脂受網５には、回り止め部材４２との接触を避けるための切欠き部５ｂと、石膏ボード３の穿設孔３ａに挿入した際に石膏ボード３の表面側に面当てされるフランジ部５ａが形成されているので、フランジ部５ａが穿設孔３ａの周縁部の石膏ボード３の壁表面側に面当（当接）されることにより、それ以上の挿入を規制することができ、切欠き部５ｂが回り止め部材４２を叩き込んだ際に変形を回避して、アンカー金具４を含め注入された接着系アンカー樹脂６をしっかりと保持することができる。
【００３０】
また、支持受け板２の凹溝２０ｃは、樹脂受網５のフランジ部５ａと樹脂受網５内に注入されて石膏ボード表面側にはみ出した接着系アンカー樹脂６の収容スペースにも兼用されて構成されているので、はみ出した接着系アンカー樹脂６をフランジ部５ａの外周面にまで付着させた状態で、壁面との間に挟み込んで支持受け板２をアンカー金具４に取り付けすることができる。特に、接着系アンカー樹脂６の硬化前に支持受け板２を取り付けすれば、はみ出した接着系アンカー樹脂６が凹溝２０ｃ内に隈無く行き渡った状態で、凹溝２０ｃ内面に接着させることができ、更なるアンカー強度を得ることができる。
【００３１】
また、石膏ボード用アンカー構造１を室内壁の上下左右何れかの任意個所に適用し、支持受け板２を用いて薄型テレビ９を壁掛け装着するに、上側２個所に配設される支持受け板２を、掛止用の固定バー２１１の両側部を支持する掛止ブラケット２１とし、下側２個所に配設される支持受け板２を座板２２として構成して、それぞれアンカー金具４に取り付けし、薄型テレビ９の背面に、上端側に固定バー２１１へ掛止される一対の吊持部７１と、テレビ背面に取付けされるテレビ取付け部７２と、下端側に座板２２にビス止めされる一対の補助支持部７３とを備えた吊持ブラケット７を取着して、薄型テレビ９を、吊持部７１を介して固定バー２１１へ壁掛けし、補助支持部７３を座板２２にビス止めして装着するようにしたので、吊持ブラケット７を、掛止ブラケット２１、２１間においてスライド可能な状態で仮壁掛けして位置決め調整することができ、配設位置を決定した後に座板２２を取り付けする（アンカー金具４を埋設する）位置決めを行うことができ、取り付け現場の状況に応じて薄型テレビ９を壁掛け装着することができる。
【００３２】
しかも、薄型テレビ９のような重量物であっても、各掛止ブラケット２１、２１にテレビ荷重を分担させて吊持することができ、補助支持部７３と共に座板２２により支持することができので、テレビ全体の荷重を上下左右に分散させた状態で壁掛けすることができ、吊持状態の恒久性を確保することができる。その結果、アンカー金具４、樹脂受網５、接着系アンカー樹脂６による三位一体の石膏ボード用アンカー構造１によって、穿設孔３ａに対する荷重分散が図られた強固な抜け止め機能と相俟って、薄型テレビ９の壁掛け手段による荷重分散機能により、たとえ、間柱の全く無い石膏ボード３の壁面であっても、１個所における石膏ボード用アンカー構造１に対するテレビ荷重が集中することが無く、上記の耐震性能試験結果により実証されたように、格段に優れた耐震性能を有することができる。
更には、補助支持部７３によって壁面とテレビ背面との空間が確保され、テレビ背面に設けられた種々の接続端子に接続されたコードやその端子が、壁面にテレビ荷重により押しつけられて傷めてしまうことが回避されると共に、吊持した状態からでもこれら接続端子の抜き差し操作を行うことができるという利点もある。
【００３３】
また、アンカー金具４の位置決め治具８には、その基端部に、刃先部４２ａとの接触を避け回り止め部材４２の板面を当接案内して、アンカー本体４１を筒孔中心に位置決めするための案内部８２と、穿設孔３ａの表面側周縁部に当接する把持可能なフランジ部９１が形成されており、フランジ部８１を介して穿設孔３ａへの挿入と抜き出しを行うことができるので、アンカー金具４を回り止め部材４２を打入する前の状態にセットし、凸状部４１ｃを軽く叩きながら回り止め部材４２を打ち込むと、回り止め部材４２が案内部８２に摺接案内されながら、穿設孔３ａにセンター位置決めされた状態で、石膏ボード３に対して精度良く直角にアンカー金具４の正確な位置決めが行えるばかりか、アンカー金具４と共に位置決め治具８を抜き出して、穿設孔３ａに回り止め部材４２の打入跡３ｂを予め刻設させておく施工作業を行うことができる。
【図面の簡単な説明】
【００３４】
【図１】埋設状態を示す石膏ボード用アンカー構造の使用説明図である。
【図２】アンカー金具を示す（Ａ）は正面図、（Ｂ）側面図、（Ｃ）は平面図、（Ｄ）Ａ−Ａ切断端面図である。
【図３】樹脂受網を示す（Ａ）は平面図、（Ｂ）側面図である。
【図４】支持受け板を掛止ブラケットとした実施例を示す構成図である。
【図５】支持受け板を座板とした実施例を示す構成図である。
【図６】アンカー金具の位置決め治具を示す（Ａ）は正面図、（Ｂ）は側面図、（Ｃ）は断面図である。
【図７】位置決め治具の使用説明図である。
【図８】石膏ボード用アンカー構造の埋設手順を示す説明図である。
【図９】薄型テレビの壁掛け用吊持ブラケットの斜視図である。
【図１０】石膏ボードへの配設状態を示す正面図である。
【図１１】石膏ボードへの配設状態を示す縦断面図である。
【符号の説明】
【００３５】
１      石膏ボード用アンカー構造
２      支持受け板
２ａ    取付けネジ
２０ａ  取付け孔
２０ｂ  取付け孔
２０ｃ  凹溝
２１    掛止ブラケット
２１ａ  支持片
２１ｂ  受け孔
２１１  固定バー
２２    座板
３      石膏ボード
３１    クロス
３ａ    穿設孔
３ｂ    打入跡
４      アンカー金具
４１    アンカー本体
４１ａ  凹凸部
４１ｂ  雌ネジ部
４１ｃ  凸状部
４２    回り止め部材
４２ａ  刃先部
５      樹脂受網
５ａ    フランジ部
５ｂ    切欠き部
６      接着系アンカー樹脂
７      吊持ブラケット
７１    吊持部
７１ａ  取付け孔
７１ｂ  ビス
７２    テレビ取付け部
７２ａ  取付け孔
７３    補助支持部
７３ａ  切欠き孔
８      位置決め治具
８１    フランジ部
８２    案内部
９      薄型テレビ
Ｐ      アンカープラグ
【図１】
2011021731.tif 000003
【図２】
2011021731.tif 000004
【図３】
2011021731.tif 000005
【図４】
2011021731.tif 000006
【図５】
2011021731.tif 000007
【図６】
2011021731.tif 000008
【図７】
2011021731.tif 000009
【図８】
2011021731.tif 000010
【図９】
2011021731.tif 000011
【図１０】
2011021731.tif 000012
【図１１】
2011021731.tif 000013